(57)【要約】【課題】トッププレートから安全に取り外しできるとともに、簡単に清掃することができる五徳を提供すること。【解決手段】加熱調理器におけるトッププレート５の上面に配置される五徳２０であって、五徳２０は、調理具を載置可能な載置部２０ｂを有する複数のピース部材２０ａからなり、この複数のピース部材２０ａは、トッププレート５の上面における加熱部１８を囲む円周上の複数箇所に、それぞれ個別に、かつ着脱自在に取り付けられる。【選択図】図６
2007271210.tif 000002
【特許請求の範囲】
【請求項１】
加熱調理器におけるトッププレートの上面に配置される五徳であって、
前記五徳は、調理具を載置可能な載置部を有する複数のピース部材からなり、該複数のピース部材は、前記トッププレートの上面における加熱部を囲む円周上の複数箇所に、それぞれ個別に、かつ着脱自在に取り付けられる、
ことを特徴とする五徳。
【請求項２】
前記複数のピース部材は、それぞれ同形状に構成されている、
ことを特徴とする請求項１に記載の五徳。
【請求項３】
前記トッププレート及び前記ピース部材のうち少なくとも前記トッププレートには、前記ピース部材の配置位置を決定するための位置決め手段が設けられている、
ことを特徴とする請求項１または２に記載の五徳。
【請求項４】
前記位置決め手段は、前記ピース部材側に設けられる被係合部と、前記トッププレート側に設けられ、前記被係合部に係脱自在な係合部と、から構成される、
ことを特徴とする請求項３に記載の五徳。
【請求項５】
前記トッププレートには、前記加熱部を構成するとともに、該トッププレートの下方に配置されるバーナーの上方を開放するための加熱用穴が形成されており、前記複数のピース部材は、その少なくとも一部が前記加熱用穴の上方に張り出すことがないように配置されている、
ことを特徴とする請求項１ないし４のいずれかに記載の五徳。
【発明の詳細な説明】
【技術分野】
【０００１】
本発明は、加熱調理器におけるトッププレートの上面に配置される五徳に関する。
【背景技術】
【０００２】
従来、この種の五徳としては、例えば複数の五徳爪と、該複数の五徳爪が嵌め込まれるドーナツ状の五徳枠と、からなるものがある（例えば、特許文献１参照）。
【０００３】
また、中央の円盤部と、該円盤部から横方向に放射状に延出する複数の爪部と、円盤部の中央から下方に突出する円柱部と、が一体化された五徳であって、該円柱部がバーナー部の内側開口部に昇降自在に貫通されたもの等がある（例えば、特許文献２参照）。
【０００４】
【特許文献１】特許登録第２７７８２２０号公報（第２頁、第５図）
【特許文献２】特開２００４−２４５５５３号公報（第４頁、第１図）
【発明の開示】
【発明が解決しようとする課題】
【０００５】
しかしながら、上記特許文献１、２に記載の五徳は、複数の五徳爪がドーナツ状の枠体（五徳枠、円盤部）に一体化されているとともに、これら五徳は一般的に鋳物等にて構成されていて重いことから、例えば該五徳や汁受け皿等の清掃のために天板やバーナー部から取り外す作業が大変であるばかりか、誤って落下させた場合には怪我をする虞があった。
【０００６】
また、大型で重量があることから、清掃が大変であるとともに、特に五徳爪と枠体とが接続される角部等、清掃しにくい箇所に煮汁等の汚れがこびり付いていると、汚れを落としにくくなるといった問題があった。
【０００７】
本発明は、このような問題点に着目してなされたもので、トッププレートから安全に取り外しできるとともに、簡単に清掃することができる五徳を提供することを目的とする。
【課題を解決するための手段】
【０００８】
前記課題を解決するために、本発明の請求項１に記載の五徳は、
加熱調理器におけるトッププレートの上面に配置される五徳であって、
前記五徳は、調理具を載置可能な載置部を有する複数のピース部材からなり、該複数のピース部材は、前記トッププレートの上面における加熱部を囲む円周上の複数箇所に、それぞれ個別に、かつ着脱自在に取り付けられる、
ことを特徴としている。
この特徴によれば、各ピース部材をトッププレートの上面から別々に取り外しできることで、従来の枠体付きの大型の五徳を清掃する場合に比べて、各ピース部材は軽量で、かつ小型であるため、細部まで清掃しやすいとともに、万が一落下させたとしても安全である。
【０００９】
本発明の請求項２に記載の五徳は、請求項１に記載の五徳であって、
前記複数のピース部材は、それぞれ同形状に構成されている、
ことを特徴としている。
この特徴によれば、同一の金型で成型できるため、製造コストを低減できる。
【００１０】
本発明の請求項３に記載の五徳は、請求項１または２に記載の五徳であって、
前記トッププレート及び前記ピース部材のうち少なくとも前記トッププレートには、前記ピース部材の配置位置を決定するための位置決め手段が設けられている、
ことを特徴としている。
この特徴によれば、ピース部材のトッププレート上における位置ずれを防止できる。
【００１１】
本発明の請求項４に記載の五徳は、請求項３に記載の五徳であって、
前記位置決め手段は、前記ピース部材側に設けられる被係合部と、前記トッププレート側に設けられ、前記被係合部に係脱自在な係合部と、から構成される、
ことを特徴としている。
この特徴によれば、被係合部に係合部を係合させるだけの簡単な作業で位置決めすることができるため、取り付け作業が簡素化される。
【００１２】
本発明の請求項５に記載の五徳は、請求項１ないし４のいずれかに記載の五徳であって、
前記トッププレートには、前記加熱部を構成するとともに、該トッププレートの下方に配置されるバーナーの上方を開放するための加熱用穴が形成されており、前記複数のピース部材は、その少なくとも一部が前記加熱用穴の上方に張り出すことがないように配置されている、
ことを特徴としている。
この特徴によれば、ピース部材をトッププレート上面に安定的に配置することができる。
【発明を実施するための最良の形態】
【００１３】
本発明に係る五徳を実施するための最良の形態を実施例に基づいて以下に説明する。
【実施例１】
【００１４】
本発明の実施例を図面に基づいて説明すると、先ず図１は、本発明が適用された実施例１としてのキッチン台を示す斜視図であり、図２は、図１のキッチン台を示す要部平面図であり、図３は、図２のＡ−Ａ拡大断面図であり、図４は、図２のＢ−Ｂ拡大断面図であり、図５は、図２のＣ−Ｃ拡大断面図であり、図６は、３つのピース部材からなる五徳を示す斜視図であり、図７は、ピース部材を示す断面図であり、図８は、無端状の棒材を折り曲げて形成された五徳を示す斜視図である。尚、以下の説明において、図１の左斜め下方及び図２の下方をキッチン台の前側とし、図１の右斜め上方及び図２の上方をキッチン台の後側として説明する。
【００１５】
図１に示されるキッチン台１は、平面視横長の長方形状に構成され、その本体上部には、例えば人工大理石等にて構成される天板２が配置されており、該天板２の上面における右側端部にはシンク３が配置され、左側端部には加熱部４を有するトッププレート５が配置され、シンク３とトッププレート５との間には、食品を切るなどの加工作業を行うための調理部６が配置されている。
【００１６】
また、キッチン台１の前面側には、調理器具や調味料等をキッチン台１内部に収納可能な多数の引き出し７が設けられているとともに、トッププレート５に対応する左側上部には、後述する調理器としてのグリル器１４の前面を構成するフロントパネル９が配置されている。
【００１７】
トッププレート５は、図２に示すように、平面視で後側左角部が切り欠かれた矩形状をなすとともに、図３及び図４に示されるように透光性を有する耐熱ガラスから構成され、天板２に形成された開口部１０に上方から嵌合可能に構成された金属製のフレーム枠体１１に形成された開口１２に嵌合されており、その周囲はシール材Ｓ等により密封されている。
【００１８】
フレーム枠体１１は、平面視長方形状をなすとともに、図３及び図４に示されるように、上面が開口する箱状に形成された加熱調理器１３の本体１３ａの上面開口に配置され、その外周に形成されたフランジ部１１ａを、天板２の開口部１０の内周面に形成された段部１０ａ上に載置した状態で開口部１０に嵌合されている。また、フレーム枠体１１の後側左角部には、加熱調理器１３の本体１３ａ下方に配置されるグリル器１４の本体１４ａ後面から延設された排気ダクト１５の排気口１６が連通される、平面視三角形状の開口２６（図５参照）が形成されている。該開口２６は、小径の排気孔１７ａが複数形成された排気口カバー１７により覆われている（図５参照）。
【００１９】
フレーム枠体１１の周縁辺に形成されたフランジ部１１ａのうち、調理部６と反対側の左側辺及び後側辺のフランジ部１１ｂの上面は、図４及び図５に示されるように、開口１２に嵌合されたトッププレート５の上面よりも高く形成されて壁部を構成しており、トッププレート５上面から水（煮こぼれ）や食材等が外部に流出することが防止されている。
【００２０】
また、フレーム枠体１１の周縁辺に形成されたフランジ部１１ａのうち、調理部６側の右側辺及び前側辺のフランジ部１１ａの上面及び該フレーム枠体１１の開口１２に嵌合されたトッププレート５の上面はほぼ面一となっている。また、これらフランジ部１１ａの上面及びトッププレート５の上面と天板２の上面とがほぼ面一、つまり同高さ位置に位置するように、フレーム枠体１１が天板２の開口部１０に嵌合して配置されていることで、トッププレート５の上面と天板２における調理部６の上面との間に段差等が存在せず、鍋やフライパン等を持ち上げたりすることなく、スライド移動させることができるので、調理作業を容易に行うことができるようになっている。
【００２１】
トッププレート５の前後方向の中央位置を横切る中央線Ｐ−Ｐ（図２参照）よりも後側には、本発明の加熱部としての円形の加熱用穴１８，１８が左右に個別に形成されており、これら各加熱用穴１８，１８の直下には、それぞれの加熱用穴１８，１８に対応してバーナー１９，１９が本体１３ａの底面上に設置されている。
【００２２】
また、左側の加熱用穴１８の周囲には、略棒状の３つのピース部材２０ａからなる五徳２０が配置されているとともに、右側の加熱用穴１８の周囲には、断面円形をなす無端状の棒材を折り曲げ加工することにより形成された五徳２１が配置されている。つまり、本実施例においては、これら加熱用穴１８，１８、バーナー１９，１９により加熱部４が構成されている。
【００２３】
トッププレート５の上面における前側左右角部には、加熱調理器１３のバーナー１９，１９やグリル器１４の火力調整操作を行うための操作部２２，２２が配置されている。
【００２４】
このように本実施例のトッププレート５は、上面全域が平坦をなす１枚の耐熱ガラス板にて構成されており、加熱用穴１８，１８、バーナー１９，１９、五徳２０，２１にて構成される加熱部４が中央線Ｐ−Ｐよりも後側に配置されており、中央線Ｐ−Ｐよりも前側には、加熱部４がない、つまり上面が平坦な非加熱部２３（図２中における長方形状の斜線領域）が形成されている。これにより、トッププレート５における加熱部４よりも手前側の平坦な非加熱部２３に、盛り付け皿等を載置できるようになるため、五徳２０，２１に載置した調理具（図示略）を持ち上げて、トッププレート５の側方の調理部６等まで移動することなく、加熱部４にて調理した食材を該加熱部４の手前側にて簡単に、かつ安全に盛り付けることができる。
【００２５】
また、加熱部４と非加熱部２３とが１枚のトッププレート５上に構成され、かつ、これら加熱部４と非加熱部２３との間、つまりトッププレート５の上面における前側から後側にかけて連続する面は平坦面として構成され、これらの間に段差等が存在しないため、トッププレート５上面の拭き掃除等を容易に行うことができる。また、非加熱部２３の上面が平坦面にて構成されていることで、非加熱部２３の上面を調理部として利用することもできる。さらに、鍋やフライパン等を非加熱部２３上に安全に載置することもできるばかりか、加熱部４に載置されたフライパンの取手等をキッチン台１の前側（調理者側）に向けても、取手の先端が天板２の前端よりも手前側に大きく張り出すことがないので、安全である。
【００２６】
尚、非加熱部２３は、加熱部４を含まない領域であり、かつ、その領域は少なくとも２００ｍｍ（前後幅）×２００ｍｍ（左右幅）以上の面積を有していることが好ましいが、言うまでもなく、それ以上の面積を有していてもよい。
【００２７】
また、加熱部４の全域が中央線Ｐ−Ｐよりも後側に配置されているものだけでなく、その少なくとも半分以上の領域が中央線Ｐ−Ｐよりも後側に配置されていればよい。さらに非加熱部２３は、その全域が中央線Ｐ−Ｐよりも前側に配置されているものだけでなく、その少なくとも半分以上の領域が中央線Ｐ−Ｐよりも前側に配置されていれば、その一部が中央線Ｐ−Ｐよりも後側に配置されていてもよい。つまり、加熱部４の一部が中央線Ｐ−Ｐよりも前側に位置していたり、非加熱部２３の一部が中央線Ｐ−Ｐよりも後側に配置されていてもよい。
【００２８】
また、トッププレート５が透光性を有する耐熱ガラス板にて構成されていることで、トッププレート５の下方、つまり加熱調理器１３の本体１３ａ内に光が入り込んで明るくなるので、本体１３ａ内の清掃等が容易になる。
【００２９】
尚、本実施例のトッププレート５はガラス板にて構成されていたが、耐熱性を有するものであれば、例えば合成樹脂板であるアクリルプレート等を適用してもよい。
【００３０】
また、トッププレート５の下方に配置されるグリル器１４から延設された排気ダクト１５の先端開口が連通される排気口１６を、フレーム枠体１１における後辺部に沿うように配置することなく、平面視矩形状のトッププレート５の後側左角部を切り欠き、これにより形成された空きスペースにフレーム枠体１１の後側左角部に平面視略三角形状の排気口１６を形成して配置したことで、排気口１６を加熱部４の後方に配置する場合に比べて、加熱部４をトッププレート５における極力後側に配置することができるため、排気口１６からの排気非加熱部２３領域をより大きくすることができる。
【００３１】
尚、本実施例においては、グリル器１４から延設された排気ダクト１５の排気口１６は、フレーム枠体１１の後側左角部、つまりトッププレート５の後側における左角部近傍に形成された開口２６に対向配置されていたが、言うまでもなく後側における右角部近傍に開口２６を形成し、これに対向するように配置してもよいし、左右角部に開口２６をそれぞれ形成し、これら左右の開口に対応させて排気口１６を分割配置してもよい。
【００３２】
次に、五徳２０，２１について詳述する。図６に示すように、左側の加熱用穴１８の周囲に配置される五徳２０を構成する３つのピース部材２０ａは、平面視で略長円形状をなし、３つのピース部材２０ａが同一形状となっている。また、ピース部材２０ａの上面には、水平面をなす載置部２０ｂ（載置面）が形成されており、ピース部材２０ａの下面には、本実施例における位置決め手段及び被係合部としての凹部２０ｃが形成され、この凹部２０ｃは内周面の一部が切り欠かれた円形状をなす穴部として形成されている。
【００３３】
トッププレート５の上面における加熱用穴１８を囲む円周上には、３つの凸部５ａが等間隔に設けられており、この凸部５ａは略円筒形状をなし、その外周面の一部が切り欠かれており、ピース部材２０ａの凹部２０ｃに嵌合できるようになっている。ピース部材２０ａをトッププレート５上に配置するときには、ピース部材２０ａの凹部２０ｃをトッププレート５の凸部５ａに嵌合（係合）させることで、ピース部材２０ａはトッププレート５上に水平方向に移動不能、かつ着脱自在に取り付けられる。
【００３４】
また、凹部２０ｃ及び凸部５ａの形状が平面視で略円形状をなしていることで、トッププレート５上を清掃する際に、凸部５ａの外周面に汚れが溜まり難く清掃し易くなっている。更に、凸部５ａの外周面の一部が切り欠かれ、かつピース部材２０ａの凹部２０ｃが内周面の一部が切り欠かれた円形状をなしていることで、ピース部材２０ａがトッププレート５上に取り付けられたときに、ピース部材２０ａが凸部５ａを中心として水平方向に回動しないようになっている。
【００３５】
図７に示すように、ピース部材２０ａの載置部２０ｂは、傾斜の無い水平面として構成され、調理具としての鍋Ｎ等を載置することができるようになっているが、載置部２０ｂは加熱用穴１８に向かって漸次下方に傾斜する傾斜面としてもよいし、鍋Ｎの下部の形状に合わせて湾曲される湾曲面としてもよい。
【００３６】
ピース部材２０ａは加熱用穴１８を囲む円周上のトッププレート５の上面に配置されるようになっている。また、それぞれのピース部材２０ａの長手方向が加熱用穴１８を中心に放射状をなすように配置される（図２参照）。そのため加熱用穴１８から鍋Ｎの下面とトッププレート５の上面との間の間隙を通過して排出される排気ガスが、ピース部材２０ａによって邪魔されることなくスムーズに排出される。
【００３７】
また、各ピース部材２０ａを、従来のような枠体上に配置する必要がないことから、その分載置部２０ｂをトッププレート５の上面に比較的近い高さ位置に配置することができるため、最小限のガスの排出路を確保しつつ、鍋Ｎの下面とバーナー１９との間の距離を極力短くすることができる。
【００３８】
また、図２に示すように、３つのピース部材２０ａが加熱用穴１８に対して後側に１つ、前側に２つ配置されている。そのため前述した非加熱部２３の領域の前後方向の幅を狭めるようなことがなくなる。更に、キッチン台１の使用者が前側から鍋Ｎの下面とトッププレート５の上面との間の間隙を通して加熱用穴１８を見たときに、加熱用穴１８内に配置されるバーナー１９の炎をピース部材２０ａによって邪魔されることなく視認できるようになっている。
【００３９】
また、３つのピース部材２０ａで１つの五徳２０を構成することで、最も少ないピース部材２０ａの個数で鍋Ｎ等を載置できるようになり、五徳２０の部品点数が低減されて製造コストが低減される。
【００４０】
１つのピース部材２０ａに対して１つの凹部２０ｃと凸部５ａとで本発明の位置決め手段を構成することにより、トッププレート５上に形成される凸部５ａの数を最小限度に構成することができ、凸部５ａの数が少なくなることにより、トッププレート５の上面を清掃し易くなる。
【００４１】
ピース部材２０ａはトッププレート５に形成された凸部５ａに凹部２０ｃを係合させるだけの簡単な作業で位置決めされ、取り付けられているだけなので、清掃の際にも容易に取り外してピース部材２０ａをシンク３内で洗浄することができる。また、それぞれのピース部材２０ａの大きさは食器洗浄機（図示略）に投入できる大きさに形成されており、ピース部材２０ａを食器洗浄機（図示略）で洗浄することもできる。
【００４２】
また、図７に示すように、ピース部材２０ａはその少なくとも一部が加熱用穴１８の上方に張り出すことがないように配置されるとともに、ピース部材２０ａの下面全体がトッププレート５の上面に当接される。
【００４３】
また、係合部としての凸部５ａをトッププレート５側に凸設し、凹部２０ｃをピース部材２０ａ下面に凹設することで、トッププレート５上面に凹部や嵌合孔が形成されてゴミ等が溜まりやすくなったり、トッププレート５の下方に落下することを防止できるばかりか、凸部５ａがピース部材２０ａの配置位置の目安となるが、係合部としての凸部５ａをピース部材２０ａ下面に凸設し、トッププレート５側に凹部２０ｃを凹設してもよい。
【００４４】
図８に示すように、右側の加熱用穴１８の周囲に配置される五徳２１は、無端状の１本の棒材（円柱棒）を折り曲げ加工して形成され、その各々の屈曲部２１ａの屈曲角度θが鈍角（９０°〜１８０°）になるように形成されている。五徳２１には、下端に被係合部としての複数の凸部２１ｃが形成され、この凸部２１ｃは後述するトッププレート５に設けられた凹部５ｂに嵌合（係合）できるように円筒形状をなしている。また、五徳２１における凸部２１ｃが形成されていない部位は上方に膨出するように屈曲されて、鍋Ｎ等の調理具を載置できる載置部２１ｂが形成されている。
【００４５】
トッププレート５の上面における加熱用穴１８を囲む円周上には、６つの円形状の穴として形成された凹部５ｂが設けられており、五徳２１の凸部２１ｃが嵌合されるようになっている。五徳２１をトッププレート５上に配置するときには、五徳２１の凸部２１ｃをトッププレート５の凹部５ｂに嵌合（係合）させることで、五徳２１はトッププレート５上に水平方向に移動不能、かつ着脱自在に取り付けられる。
【００４６】
図８に示す五徳２１にあっては、無端状の１本の棒材を折り曲げて形成されているため、五徳２１をトッププレート５から取り外して清掃する際に、使用者は布巾とともに五徳２１の一部を握った状態で、布巾を五徳２１の円周方向全体に移動させて汚れを拭き取っていくことができ、清掃し易くなっている。
【実施例２】
【００４７】
次に、実施例２に係る五徳３０につき、図９を参照して説明する。尚、前記実施例に示される構成部分と同一構成部分に付いては同一符号を付して重複する説明を省略する。図９は、実施例２における五徳３０を示す斜視図である。
【００４８】
図９に示すように、五徳３０は、加熱用穴１８の周囲に配置される３つの同一形状をなすピース部材３０ａによって構成されている。ピース部材３０ａは、無端状の１本の棒材を折り曲げ加工して形成され、五徳３０の下端には、複数の凸部３０ｃ（被係合部）が形成され、この凸部３０ｃはトッププレート５に設けられた凹部５ｂ（係合部）に嵌合（係合）できるように円筒形状をなしている。また、五徳３０には、鍋Ｎ等の調理具を載置できる載置部３０ｂが形成されている。尚、凸部３０ｃ（被係合部）と凹部５ｂ（係合部）とで本実施例における位置決め手段が構成されている。
【００４９】
凸部３０ｃが凹部５ｂに嵌合されることによって、ピース部材３０ａがトッププレート５に取り付けられる。また、ピース部材３０ａはその少なくとも一部が加熱用穴１８の上方に張り出すことがないように配置される。更に、１つのピース部材３０ａが２つの凸部３０ｃ及び２つの凹部５ｂによってトッププレート５に取り付けられることによって、ピース部材３０ａが水平方向に回動しないようになっている。
【実施例３】
【００５０】
次に、実施例３に係る五徳４０につき、図１０を参照して説明する。尚、前記実施例に示される構成部分と同一構成部分に付いては同一符号を付して重複する説明を省略する。図１０は、実施例３における五徳４０を示す斜視図である。
【００５１】
図１０に示すように、五徳４０は、加熱用穴１８の周囲に配置される３つの同一形状をなすピース部材４０ａによって構成されている。ピース部材４０ａは、角柱状の部材がコ字形状に屈曲されて形成されており、ピース部材４０ａの上方には鍋Ｎ等が載置される載置部４０ｂを有し、この載置部４０ｂから下方に延設される外側片４０ｃ及び内側片４０ｄとが設けられている。
【００５２】
ピース部材４０ａの外側片４０ｃは内側片４０ｄよりも若干長く形成されており、トッププレート５には、外側片４０ｃの下端が嵌合（係合）される平面視で矩形状をなす有底穴部として形成された凹部５ｂ’が形成されている。尚、外側片４０ｃ（被係合部）と凹部５ｂ’（係合部）とで本実施例における位置決め手段が構成されている。
【００５３】
また、ピース部材４０ａの外側片４０ｃの下端が矩形状をなす凹部５ｂ’に嵌合されることで、ピース部材４０ａがトッププレート５上に取り付けられたときに、ピース部材４０ａが水平方向に回動しないようになっている。
【００５４】
ピース部材４０ａがトッププレート５上に取り付けられたときに、内側片４０ｄの下端はトッププレート５の上面に当接される。外側片４０ｃが凹部５ｂ’に嵌合され、内側片４０ｄの下端がトッププレート５の上面に当接されることで、載置部４０ｂに鍋Ｎ等を載置してもピース部材４０ａが安定的に立設される。
【実施例４】
【００５５】
次に、実施例４に係る五徳５０につき、図１１を参照して説明する。尚、前記実施例に示される構成部分と同一構成部分に付いては同一符号を付して重複する説明を省略する。図１１は、実施例４における五徳５０を示す斜視図である。
【００５６】
図１１に示すように、五徳５０は、加熱用穴１８の周囲に配置される４つの同一形状をなすピース部材５０ａによって構成されている。ピース部材５０ａは、角柱状の部材が加熱用穴１８の周囲に沿って屈曲されて形成されており、ピース部材５０ａの上面には、鍋Ｎ等が載置される水平面をなす載置部５０ｂが形成されている。ピース部材５０ａの下面には、凹部５０ｃ（被係合部）が形成され、トッププレート５上には、凸部５ａ’（係合部）が形成され、位置決め手段を構成している。
【００５７】
凹部５０ｃが凸部５ａ’に嵌合されることによって、ピース部材５０ａがトッププレート５に取り付けられる。また、ピース部材５０ａは加熱用穴１８の周囲に沿って配置され、その少なくとも一部が加熱用穴１８の上方に張り出すことがないように配置される。更に、１つのピース部材５０ａが２つの凹部５０ｃ及び２つの凸部５ａ’によってトッププレート５に取り付けられることによって、ピース部材５０ａが水平方向に回動しないようになっている。
【００５８】
以上、図６、図９〜１１に示す五徳２０，３０，４０，５０にあっては、五徳２０，３０，４０，５０が鍋Ｎ等の調理具を載置可能な載置部２０ｂ，３０ｂ，４０ｂ，５０ｂを有する複数のピース部材２０ａ，３０ａ，４０ａ，５０ａから構成され、その複数のピース部材２０ａ，３０ａ，４０ａ，５０ａが、トッププレート５の上面における加熱部としての加熱用穴１８を囲む円周上の複数箇所に、それぞれ別個に、かつ着脱自在に取り付けられることで、各ピース部材２０ａ，３０ａ，４０ａ，５０ａをトッププレート５の上面から別々に取り外しでき、従来の枠体付きの大型の五徳を清掃する場合に比べて、各ピース部材２０ａ，３０ａ，４０ａ，５０ａは軽量なものとなり、かつ小型なものとして形成できるため、ピース部材２０ａ，３０ａ，４０ａ，５０ａの細部まで清掃しやすいとともに、万が一ピース部材２０ａ，３０ａ，４０ａ，５０ａを落下させたとしても安全である。
【００５９】
また、複数のピース部材２０ａ，３０ａ，４０ａ，５０ａが、それぞれ同一形状に構成されていることで、同一の金型で成型及び同一の棒材で加工できるようになり、ピース部材２０ａ，３０ａ，４０ａ，５０ａの製造コストを低減できる。
【００６０】
また、複数のピース部材２０ａ，３０ａ，４０ａ，５０ａは、その少なくとも一部が加熱用穴１８の上方に張り出すことがないように配置されており、ピース部材２０ａ，３０ａ，４０ａ，５０ａの載置部２０ｂ，３０ｂ，４０ｂ，５０ｂに加わる荷重がその載置部２０ｂ，３０ｂ，４０ｂ，５０ｂの直下のトッププレート５の上面で支持される。そのため鍋Ｎを五徳２０，３０，４０，５０上に載置したときに、各々のピース部材２０ａ，３０ａ，４０ａ，５０ａには、いかなるモーメントも発生せずに済むようになり、ピース部材２０ａ，３０ａ，４０ａ，５０ａがトッププレート５の上面に安定的に配置される。
【００６１】
以上、本発明の実施例を図面により説明してきたが、具体的な構成はこれら実施例に限られるものではなく、本発明の要旨を逸脱しない範囲における変更や追加があっても本発明に含まれる。
【００６２】
例えば、前記実施例では、ピース部材２０ａ，３０ａ，４０ａ，５０ａをトッププレート５上に配置した際に、ピース部材２０ａ，３０ａ，４０ａ，５０ａの位置ずれを防止するための位置決め手段が、ピース部材２０ａ，３０ａ，４０ａ，５０ａ側に設けられる被係合部としての凹部２０ｃ，５０ｃ、凸部３０ｃ、外側片４０ｃと、トッププレート５側に設けられ、被係合部に係脱自在な係合部としての凸部５ａ，５ａ’、凹部５ｂ，５ｂ’とから構成されていたが、位置決め手段は、係合によって互いに接合されるものに限らず、例えば、トッププレート５側に位置決め手段としての磁石を設けておき、ピース部材２０ａ，３０ａ，４０ａ，５０ａを磁石に吸着される材質（鉄等）で構成しておくことで、トッププレート５とピース部材２０ａ，３０ａ，４０ａ，５０ａを互いに磁力によって位置決めできるようにしてもよい。
【図面の簡単な説明】
【００６３】
【図１】本発明が適用された実施例１としてのキッチン台を示す斜視図である。
【図２】図１のキッチン台を示す要部平面図である。
【図３】図２のＡ−Ａ拡大断面図である。
【図４】図２のＢ−Ｂ拡大断面図である。
【図５】図２のＣ−Ｃ拡大断面図である。
【図６】３つのピース部材からなる五徳を示す斜視図である。
【図７】ピース部材を示す断面図である。
【図８】無端状の棒材を折り曲げて形成された五徳を示す斜視図である。
【図９】実施例２における五徳を示す斜視図である。
【図１０】実施例３における五徳を示す斜視図である。
【図１１】実施例４における五徳を示す斜視図である。
【符号の説明】
【００６４】
１            キッチン台
４            加熱部
５            トッププレート
５ａ          凸部（位置決め手段，係合部）
５ｂ          凹部（位置決め手段，係合部）
１８，１８    加熱用穴（加熱部）
１９，１９    バーナー（加熱部）
２０，２１    五徳
２０ａ        ピース部材
２０ｂ        載置部
２０ｃ        凹部（位置決め手段，被係合部）
２１ａ        屈曲部
２１ｂ        載置部
２１ｃ        凸部（位置決め手段，被係合部）
３０          五徳
３０ａ        ピース部材
３０ｂ        載置部
３０ｃ        凸部（位置決め手段，被係合部）
４０          五徳
４０ａ        ピース部材
４０ｂ        載置部
４０ｃ        外側片（位置決め手段，被係合部）
４０ｄ        内側片
５０          五徳
５０ａ        ピース部材
５０ｂ        載置部
５０ｃ        凹部（位置決め手段，被係合部）
【図１】
2007271210.tif 000003
【図２】
2007271210.tif 000004
【図３】
2007271210.tif 000005
【図４】
2007271210.tif 000006
【図５】
2007271210.tif 000007
【図６】
2007271210.tif 000008
【図７】
2007271210.tif 000009
【図８】
2007271210.tif 000010
【図９】
2007271210.tif 000011
【図１０】
2007271210.tif 000012
【図１１】
2007271210.tif 000013